(57)【要約】  基地局に、在圏する移動局のうち、マルチキャストグループに参加している移動局のグループ分けを行うグループ分け手段と、各グループに属する移動局の伝送可能な周波数帯域および伝送速度のうち少なくとも一方と、自基地局の伝送可能な周波数帯域幅および伝送速度のうち少なくとも一方に基づいて、コンテンツに対する無線パラメータを決定し、上位局から伝送されてきたコンテンツを該マルチキャストグループに配信するコンテンツ伝送手段とを備えることにより達成される。
2007116703.tif 000002
【特許請求の範囲】
【請求項１】
移動局から通知されたマルチキャストグループへの参加要求に基づいて、既に前記マルチキャストグループに参加している移動局の伝送可能な周波数帯域および伝送速度のうち少なくとも一方と、参加要求を行った移動局の伝送可能な周波数帯域および伝送速度のうち少なくとも一方とを比較し、該比較結果に基づいて、無線パラメータの設定を行い、コンテンツの伝送を行うコンテンツ伝送手段；
を備えることを特徴とするセントラルノード。
【請求項２】
請求項１に記載のセントラルノードにおいて：
前記コンテンツ伝送手段は、マルチキャストグループへの参加要求を行った移動局の伝送可能な周波数帯域および伝送速度のうち少なくとも一方が、既に前記マルチキャストグループに参加している移動局の伝送可能な周波数帯域および伝送速度のうち少なくとも一方未満である場合、送信しているコンテンツの伝送が終了後、無線パラメータの設定を行うことを特徴とするセントラルノード。
【請求項３】
請求項１に記載のセントラルノードにおいて：
前記コンテンツ伝送手段は、セッション開始後のマルチキャストデータ伝送中に、マルチキャストグループへの参加要求があった場合、データ伝送終了後に、無線パラメータを再設定することを特徴とするセントラルノード。
【請求項４】
請求項１に記載のセントラルノードにおいて：
前記コンテンツ伝送手段は、セッション開始後に、マルチキャストグループへの参加要求があった場合、該当セッション終了後に無線パラメータを再設定することを特徴とするセントラルノード。
【請求項５】
在圏する移動局のうち、マルチキャストグループに参加している移動局のグループ分けを行うグループ分け手段；
各グループに属する移動局の伝送可能な周波数帯域および伝送速度のうち少なくとも一方と、自基地局の伝送可能な周波数帯域幅および伝送速度のうち少なくとも一方に基づいて、コンテンツに対する無線パラメータを決定し、上位局から伝送されてきたコンテンツを該マルチキャストグループに配信するコンテンツ伝送手段；
を備えることを特徴とする基地局。
【請求項６】
請求項５に記載の基地局において：
前記グループ分け手段は、移動局を示す識別情報に基づいて、移動局のグループ分けを行うことを特徴とする基地局。
【請求項７】
請求項５に記載の基地局において：
前記グループ分け手段は、移動局の伝送可能な周波数帯域幅に基づいて、グループ分けを行うことを特徴とする基地局。
【請求項８】
請求項５に記載の基地局において：
コンテンツ伝送手段は、自基地局の伝送可能な周波数帯域が、グループに属する移動局の伝送可能な周波数帯域あるいは伝送速度未満である場合、基地局が伝送可能な周波数帯域あるいは伝送速度を使用して、上位局から伝送されてきたコンテンツを、該マルチキャストグループに配信することを特徴とする基地局。
【請求項９】
伝送可能な周波数帯域および伝送速度のうち少なくとも一方を示す情報を格納したマルチキャストグループへの参加要求を生成する移動局能力通知手段；
前記参加要求を送信する送信手段；
を備えることを特徴とする移動局。
【請求項１０】
在圏する移動局のうち、マルチキャストグループに参加している移動局のグループ分けを行うグループ分けステップ；
各グループに属する移動局の伝送可能な周波数帯域および伝送速度のうち少なくとも一方と、自基地局の伝送可能な周波数帯域に基づいて、コンテンツに対する無線パラメータを決定する伝送能力決定ステップ；
上位局から伝送されてきたコンテンツを該マルチキャストグループに配信するコンテンツ伝送ステップ；
を有することを特徴とするデータ伝送方法。
【発明の詳細な説明】
【技術分野】
【０００１】
本発明は、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）において、マルチキャストグループを構成する複数の移動局に対してマルチキャストデータを伝送するデータ伝送技術に関し、特に、移動局および基地局で伝送可能な周波数帯域が異なる無線通信システムにおけるセントラルノード、基地局および移動局並びにデータ伝送方法に関する。
【背景技術】
【０００２】
ＭＢＭＳのマルチキャストモードでは、"Ｓｕｂｓｃｒｉｐｔｉｏｎ"、"Ｓｅｒｖｉｃｅ  Ａｎｎｏｕｎｃｅｍｅｎｔ"、"Ｊｏｉｎｉｎｇ"、"Ｓｅｓｓｉｏｎ  Ｓｔａｒｔ"、"ＭＢＭＳ  ｎｏｔｉｆｉｃａｔｉｏｎ"、"Ｄａｔａ  Ｔｒａｎｓｆｅｒ"、"Ｓｅｓｓｉｏｎ  Ｓｔｏｐ"、"Ｌｅａｖｉｎｇ"の複数ステップがある。【０００３】
"Ｓｅｒｖｉｃｅ  Ａｎｎｏｕｎｃｅｍｅｎｔ"は、ある程度長期間にわたり行われ、Ｓｅｒｖｉｃｅ  Ａｎｎｏｕｎｃｅｍｅｎｔが行なわれている期間であれば、いつでもマルチキャストグループへの参加が可能である。特に、"Ｊｏｉｎｉｎｇ"する場合には、ＮＡＳ（Ｎｏｎ−Ａｃｃｅｓｓ  Ｓｔｒａｔｕｍ）の"ＭＢＭＳ  Ｍｕｌｔｉｃａｓｔ  Ｓｅｒｖｉｃｅ  Ａｃｔｉｖａｔｉｏｎ"プロシージャが実行される。【０００４】
"ＭＢＭＳ  Ｍｕｌｔｉｃａｓｔ  Ｓｅｒｖｉｃｅ  Ａｃｔｉｖａｔｉｏｎ"プロシージャの中の"ＡＣＴＩＶＡＴＥ  ＭＢＭＳ  ＣＯＮＴＥＸＴ  ＲＥＱＵＥＳＴ"がＵＥからＮＷ（ＲＮＣを介して、ＳＧＳＮ、ＧＧＳＮへ）へ伝送される。この情報要素には、"Ｓｕｐｐｏｒｔａｂｌｅ  ＭＢＭＳ  ｂｅａｒｅｒ  ｃａｐａｂｉｌｉｔｉｅｓ"が含まれており、ダウンリンクの最大ビットレートを定義可能である。
【非特許文献１】３ＧＰＰ  ＴＳ  ２３．２４６
【非特許文献２】３ＧＰＰ  ＴＳ  ２４．００８
【非特許文献３】３ＧＰＰ  ＴＳ  ２５．３４６
【発明の開示】
【発明が解決しようとする課題】
【０００５】
しかしながら、上述した背景技術には以下の問題がある。【０００６】
ＩＭＴ−２０００が適用されるシステムでは、システムがサポートする周波数帯域は、５ＭＨｚに固定的に決められている。【０００７】
ところで、基地局（ＢＴＳ）は、一般的に、最大周波数帯域まで伝送可能な構成とすると考えられる。しかし、周波数帯域は限られた資源であり、必要な周波数を獲得できない可能性がある。このような場合には、基地局が伝送可能な周波数帯域は、獲得した周波数帯域に依存する。例えば、基地局自体は、２０ＭＨｚ対応だが、獲得した周波数帯域の関係で５ＭＨｚの電波しか送信できない場合、基地局の能力は、５ＭＨｚに制限される。【０００８】
一方で、将来の移動通信システムでは、システムがサポートする周波数帯域をフレキシブルに対応させることが期待されている。この様なシステムアーキテクチャにおいてＭＢＭＳサービスを提供する場合、移動局（ＵＥ）が受信可能な周波数帯域が、ＵＥ毎に異なる可能性が高い。【０００９】
また、将来の移動通信システムでは、周波数帯域に限らず、ＭＩＭＯ（Ｍｕｌｔｉ−Ｉｎｐｕｔ  Ｍｕｌｔｉ−Ｏｕｔｐｕｔ）のアンテナ、ＴＴＩ（Ｔｒａｎｓｍｉｓｓｉｏｎ  Ｔｉｍｅ  Ｉｎｔｅｒｖａｌ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のＧＩ（Ｇｕａｒｄ  Ｉｎｔｅｒｖａｌ）などもフレキシブルに設定することが想定される。ＩＭＴ−２０００システムでは、これらの項目は固定的に決められている。【００１０】
本発明は、この点を鑑みてなされたものであり、その目的は、マルチキャストサービスを受信する移動局の移動局能力および該マルチキャストサービスを提供する基地局の基地局能力に応じて、適切にサービスを配信することができるセントラルノード、基地局および移動局並びにデータ伝送方法を提供することにある。
【課題を解決するための手段】
【００１１】
上記課題を解決するため、本発明のセントラルノードは、
移動局から通知されたマルチキャストグループへの参加要求に基づいて、既に前記マルチキャストグループに参加している移動局の伝送可能な周波数帯域および伝送速度のうち少なくとも一方と、参加要求を行った移動局の伝送可能な周波数帯域および伝送速度のうち少なくとも一方とを比較し、該比較結果に基づいて、無線パラメータの設定を行い、コンテンツの伝送を行うコンテンツ伝送手段
を備えることを特徴の１つとする。【００１２】
このように構成することにより、既にマルチキャストグループに参加している移動局に加えて、新たに移動局を該マルチキャストグループに参加させることができる。【００１３】
本発明の基地局は、
在圏する移動局のうち、マルチキャストグループに参加している移動局のグループ分けを行うグループ分け手段と、
各グループに属する移動局の伝送可能な周波数帯域および伝送速度のうち少なくとも一方と、自基地局の伝送可能な周波数帯域幅および伝送速度のうち少なくとも一方に基づいて、コンテンツに対する無線パラメータを決定し、上位局から伝送されてきたコンテンツを該マルチキャストグループに配信するコンテンツ伝送手段と
を備えることを特徴の１つとする。【００１４】
このように構成することにより、移動局の受信可能な周波数帯域、基地局が伝送可能な周波数帯域を把握し、マルチキャストデータを受信する複数の移動局が共通に受信可能な周波数帯域にマルチキャストデータをスケジュールすることができる。【００１５】
本発明の移動局は、
伝送可能な周波数帯域および伝送速度のうち少なくとも一方を示す情報を格納したマルチキャストグループへの参加要求を生成する移動局能力通知手段と、
前記参加要求を送信する送信手段と
を備えることを特徴の１つとする。【００１６】
このように構成することにより、伝送可能な周波数帯域および該伝送可能な周波数帯域と等価である伝送速度のうち少なくとも一方を示す情報を格納したマルチキャストグループへの参加要求を生成することができる。【００１７】
本発明のデータ伝送方法は、
在圏する移動局のうち、マルチキャストグループに参加している移動局のグループ分けを行うグループ分けステップと、
各グループに属する移動局の伝送可能な周波数帯域および伝送速度のうち少なくとも一方と、自基地局の伝送可能な周波数帯域に基づいて、コンテンツに対する無線パラメータを決定する伝送能力決定ステップと、
上位局から伝送されてきたコンテンツを該マルチキャストグループに配信するコンテンツ伝送ステップと
を有することを特徴の１つとする。【００１８】
このようにすることにより、移動局の受信可能な周波数帯域、基地局が伝送可能な周波数帯域を把握し、マルチキャストデータを受信する複数の移動局が共通に受信可能な周波数帯域にマルチキャストデータをスケジュールすることができる。
【発明の効果】
【００１９】
本発明の実施例によれば、マルチキャストサービスを受信する移動局の移動局能力および該マルチキャストサービスを提供する基地局の基地局能力に応じて、適切にサービスを配信することができるセントラルノード、基地局および移動局並びにデータ伝送方法を実現できる。
【図面の簡単な説明】
【００２０】
【図１】本発明の一実施例にかかる無線通信システムを示す説明図である。
【図２】本発明の一実施例にかかる移動局を示すブロック図である。
【図３】本発明の一実施例にかかる基地局を示すブロック図である。
【図４】本発明の一実施例にかかるアクセスゲートウェイを示すブロック図である。
【図５】本発明の一実施例にかかる移動局の動作を示すフロー図である。
【図６】本発明の一実施例にかかる基地局の動作を示すフロー図である。
【図７】本発明の一実施例にかかるアクセスゲートウェイの動作を示すフロー図である。
【図８】本発明の一実施例にかかる基地局の動作を示すフロー図である。
【図９】本発明の一実施例にかかるアクセスゲートウェイの動作を示すフロー図である。
【符号の説明】
【００２１】
１００  無線通信システム
２００  コアネットワーク
３００  ＭＢＭＳ配信サーバ
４００  アクセスゲートウェイ（ＡＣＧＷ）
５００、５００１、５００２  基地局
６００、６００１、６００２、６００３、６００４、６００５、６００６  移動局
【発明を実施するための最良の形態】
【００２２】
次に、本発明の実施例について図面を参照して説明する。
なお、実施例を説明するための全図において、同一機能を有するものは同一符号を用い、繰り返しの説明は省略する。【００２３】
本発明の実施例にかかる無線通信システムについて、図１を参照して説明する。【００２４】
本実施例にかかる無線通信システム１００は、コアネットワーク２００に接続されたＭＢＭＳ配信サーバ（ＢＭ−ＳＣ：  Ｂｒｏａｄｃａｓｔ  Ｍｕｌｔｉｃａｓｔ  Ｓｅｒｖｉｃｅ  Ｃｅｎｔｒｅ）３００およびセントラルノードとしてのアクセスゲートウェイ（ＡＣＧＷ：  Ａｃｃｅｓｓ  Ｇａｔｅｗａｙ）４００と、アクセスゲートウェイ４００の配下に接続された基地局５００、例えば基地局Ａ５００１および基地局Ｂ５００２と、移動局６００、例えば移動局Ａ６００１、移動局Ｂ６００２、移動局Ｃ６００３、移動局Ｄ６００４、移動局Ｅ６００５および移動局Ｆ６００６から構成される。アクセスゲートウェイ４００には、例えばＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイが含まれる。【００２５】
アクセスゲートウェイ４００と移動局６００との間では、ＮＡＳ（Ｎｏｎ−Ａｃｃｅｓｓ  Ｓｔｒａｔｕｍ）プロトコルが規定される。【００２６】
また、基地局５００と移動局６００との間では、ＡＳ（Ａｃｃｅｓｓ  Ｓｔｒａｔｕｍ）プロトコル、例えば、ＲＲＣ（ｒａｄｉｏ  ｒｅｓｏｕｒｃｅ  ｃｏｎｔｒｏｌ）プロトコル、ＭＡＣ（Ｍｅｄｉａ  Ａｃｃｅｓｓ  Ｃｏｎｔｒｏｌ）プロトコルが規定される。ＡＳとして、ＲＲＣ、ＭＡＣ以外に、ＲＬＣ（Ｒａｄｉｏ  Ｌｉｎｋ  Ｃｏｎｔｒｏｌ）、ＰＤＣＰ（Ｐａｃｋｅｔ  Ｄａｔａ  Ｃｏｎｖｅｒｇｅｎｃｅ  Ｐｒｏｔｏｃｏｌ）が規定される。【００２７】
本実施例においては、基地局Ａ５００１および基地局Ｂ５００２から移動局Ａ６００１、移動局Ｂ６００２、移動局Ｃ６００３、移動局Ｄ６００４、移動局Ｅ６００５および移動局Ｆ６００６に対して、同一のマルチキャストサービス、例えばＭＢＭＳサービスを提供する場合について説明する。【００２８】
アクセスゲートウェイ４００は、複数の基地局５００を介して、複数の移動局６００へ共通ユーザデータを伝送する。【００２９】
各基地局５００および各移動局６００の対応可能な周波数帯域を表1に示す。【００３０】
【表１】
2007116703.tif 000003
基地局Ａ５００１は５ＭＨｚの周波数帯域の伝送が可能であり、基地局Ｂ５００２は２０ＭＨｚの周波数帯域の伝送が可能である。【００３１】
移動局Ａ６００１は１５ＭＨｚの周波数帯域の伝送が可能であり、移動局Ｂ６００２は１５ＭＨｚの周波数帯域の伝送が可能であり、移動局Ｃ６００３は１０ＭＨｚの周波数帯域の伝送が可能であり、移動局Ｄ６００４は２０ＭＨｚの周波数帯域の伝送が可能であり、移動局Ｅ６００５は５ＭＨｚの周波数帯域の伝送が可能であり、移動局Ｆ６００６は５ＭＨｚの周波数帯域の伝送が可能である。【００３２】
移動局６００は、基地局５００を介して、自移動局の能力、例えば伝送可能である周波数帯域幅を示す情報を、アクセスゲートウェイ４００に通知する。例えば、移動局は、"Ｊｏｉｎ"リクエスト（参加要求）に自移動局の伝送可能である周波数帯域幅を示す情報を格納し送信する。また、移動局は、"Ｊｏｉｎ"リクエスト（参加要求）に自移動局の伝送可能である周波数帯域幅と等価である伝送速度を示す情報を格納して送信するようにしてもよい。【００３３】
本実施例においては、基地局Ａ５００１は、潜在能力的には、２０ＭＨｚ周波数帯域まで対応可能であるが、周波数の割当ての関係上、伝送可能な周波数帯域が５ＭＨｚに制限されている場合について説明する。【００３４】
基地局５００は、在圏する移動局のうち、マルチキャストグループ（ＭＢＭＳグループ）に参加している移動局のグループ分けを行う。【００３５】
例えば、基地局５００は、移動局の能力に因らずグループ分けを行う。例えば、基地局５００は、移動局を示す識別情報に基づいて、移動局のグループ分けを行う。例えば、基地局５００は、移動局をＮ個のグループ数にグループ分けを行う場合に、移動局５００を示す情報をグループ数Ｎで除算した場合の剰余（移動局を示す情報のモジュロ）を計算することにより、移動局のグループ分けを行う。【００３６】
その結果、例えば、基地局Ａ５００１配下で、該マルチキャストグループに参加中でマルチキャストデータ（ＭＢＭＳグループデータ）を受信する移動局は、移動局Ａ６００１、移動局Ｂ６００２および移動局Ｃ６００３となる。この場合、移動局Ａ６００１、移動局Ｂ６００２および移動局Ｃ６００３の受信可能な周波数帯域は、表１に示すように、それぞれ１５ＭＨｚ、１５ＭＨｚ、１０ＭＨｚである。したがって、移動局Ａ６００１、移動局Ｂ６００２および移動局Ｃ６００３が、共通に受信可能な周波数帯域は１０ＭＨｚである。【００３７】
この場合、基地局Ａ５００１は、１０ＭＨｚ周波数帯域へＭＢＭＳデータをスケジュールすべきである。しかし、基地局Ａ５００１は、周波数の割り当ての関係から５ＭＨｚ周波数帯域でのみ伝送可能である。したがって、基地局Ａ５００１、移動局Ａ６００１、移動局Ｂ６００２および移動局Ｃ６００３が共通に送受信可能な周波数帯域は５ＭＨｚとなるため、５ＭＨｚの周波数帯域でＭＢＭＳデータがスケジュールされる。すなわち、自基地局が提供可能な周波数帯域が、グループに属する移動局の伝送可能な周波数帯域未満である場合、基地局が提供可能な周波数帯域で、上位局から伝送されてきたコンテンツを、該マルチキャストグループに配信する。また、自基地局が提供可能な伝送速度が、グループに属する移動局の伝送可能な伝送速度未満である場合、基地局が提供可能な伝送速度で、上位局から伝送されてきたコンテンツを、該マルチキャストグループに配信するようにしてもよい。【００３８】
一方、例えば、基地局Ｂ５００２配下で、該マルチキャストグループに参加中でＭＢＭＳデータを受信する移動局は、移動局Ｄ６００４、移動局Ｅ６００５および移動局Ｆ６００６となる。移動局Ｄ６００４、移動局Ｅ６００５および移動局Ｆ６００６の受信可能な周波数帯域は、表１に示すように、それぞれ２０ＭＨｚ、５ＭＨｚ、５ＭＨｚである。したがって、移動局Ｄ６００４、移動局Ｅ６００５および移動局Ｆ６００６が共通に受信可能な周波数帯域は５ＭＨｚである。【００３９】
この場合、基地局Ｂ５００２は、５ＭＨｚ周波数帯域にＭＢＭＳデータをスケジュールする。基地局Ｂ５００２は、２０ＭＨｚまで対応可能なため、基地局Ｂ５００２は、５ＭＨｚの周波数帯域でＭＢＭＳデータをスケジュールすることができる。【００４０】
また、例えば、基地局５００は、移動局の能力毎、例えば、移動局の受信可能な周波数帯域幅に基づいて、グループ分けを行うようにしてもよい。また、基地局５００は、移動局の受信可能な周波数帯域幅と等価である伝送速度に基づいて、グループ分けを行うようにしてもよい。ここでは、移動局の受信可能な周波数帯域幅に基づいて、グループ分けを行う場合について説明する。【００４１】
例えば、基地局Ａ５００１配下で、該マルチキャストグループに参加中の移動局は、移動局Ａ６００１、移動局Ｂ６００２および移動局Ｃ６００３である。移動局Ａ６００１、移動局Ｂ６００２および移動局Ｃ６００３の受信可能な周波数帯域は、表１に示すように、それぞれ１５ＭＨｚ、１５ＭＨｚ、１０ＭＨｚである。【００４２】
例えば、基地局Ａ５００１は、移動局Ａ６００１と移動局Ｂ６００２とから構成されるマルチキャストグループ１と、移動局Ｃ６００３から構成されるマルチキャストグループ２の２つのマルチキャストグループにグループ分けを行う。【００４３】
その結果、マルチキャストグループ１は１５ＭＨｚの周波数帯域まで受信可能であり、マルチキャストグループ２は１０ＭＨｚ周波数帯域まで受信可能である。しかし、この場合、基地局Ａ５００１が５ＭＨｚ周波数帯域のみ伝送可能なため、グループに依存せず５ＭＨｚ周波数帯域でＭＢＭＳデータをスケジュールする。【００４４】
ここで、基地局Ａ５００１が、自基地局Ａ５００１の送信可能である周波数範囲と移動局が送信可能である周波数範囲とを比較した結果、基地局Ａ５００１が送信可能である周波数範囲が最低の周波数範囲である場合には、複数のマルチキャストグループを構成する必要は無い。すなわち、1つのグループを構成する。【００４５】
一方、基地局Ｂ５００２配下で、該マルチキャストグループに参加中でＭＢＭＳデータを受信する移動局は、移動局Ｄ６００４、移動局Ｅ６００５および移動局Ｆ６００６である。移動局Ｄ６００４、移動局Ｅ６００５および移動局Ｆ６００６の受信可能な周波数帯域は、表１に示すように、それぞれ２０ＭＨｚ、５ＭＨｚ、５ＭＨｚである。【００４６】
例えば、基地局Ｂ５００２は、移動局Ｄ６００４から構成されるマルチキャストグループ３と、移動局Ｅ６００５と移動局Ｆ６００６とから構成されるマルチキャストグループ４の２つのマルチキャストグループにグループ分けする。マルチキャストグループ３は２０ＭＨｚの周波数帯域まで受信可能であり、マルチキャストグループ４は５ＭＨｚ周波数帯域まで受信可能である。【００４７】
したがって、基地局Ｂ５００２は、マルチキャストグループ３に対して２０ＭＨｚの周波数帯域でＭＢＭＳデータをスケジューリングし、マルチキャストグループ４に対して５ＭＨｚの周波数帯域でＭＢＭＳデータをスケジューリングする。【００４８】
次に、本実施例にかかる移動局６００について、図２を参照して説明する。【００４９】
本実施例にかかる移動局６００は、制御部６０２と、制御部６０２と接続された送信手段としての無線伝送部６０４、ＭＢＭＳコンテンツ受信部６０８および移動局能力通知手段としてのＵＥ  ｃａｐａｂｉｌｉｔｙ通知部６０６とを備える。無線伝送部６０４は、ＵＥ  ｃａｐａｂｉｌｉｔｙ通知部６０６およびＭＢＭＳコンテンツ受信部６０８とデータの入出力が可能である。【００５０】
制御部６０２は、自移動局６００が備える各機能エンティティに対して、適切な制御を行う。例えば、制御部６０２は、加入処理を行ったコンテンツプロバイダからコンテンツの配信がアナウンスメントされている否か判断する
無線伝送部６０４は、アクセスゲートウェイ４００との間の無線リンク上で、シグナリングメッセージ、例えば、ＮＡＳ（Ｎｏｎ−Ａｃｃｅｓｓ  Ｓｔｒａｔｕｍ）／ＭＢＭＳコンテンツの送受信を行う。【００５１】
ＵＥ  ｃａｐａｂｉｌｉｔｙ通知部６０６は、少なくとも当該移動局がサポータブルな周波数バンドを示す情報を、基地局５００を介してアクセスゲートウェイ４００に通知する。例えば、ＵＥ  ｃａｐａｂｉｌｉｔｙ通知部６０６は、"Ｊｏｉｎ"リクエストに自移動局の伝送可能である周波数帯域幅を示す情報を格納し送信する。また、ＵＥ  ｃａｐａｂｉｌｉｔｙ通知部６０６は、少なくとも当該移動局がサポータブルな周波数バンドと等価である最大伝送速度を示す情報を、基地局５００を介してアクセスゲートウェイ４００に通知するようにしてもよい。【００５２】
ここで、ＵＥ  ｃａｐａｂｉｌｉｔｙ通知部６０６が通知する情報は、サポータブルなバンド幅に限定される必要はなく、例えば、サポータブルなＭＩＭＯのアンテナ数、ＴＴＩ、ＯＦＤＭにおけるガードインターバル（ＧＩ）、暗号化アルゴリズム、レイヤ２のコンフィグレーション、例えばＯｕｔｅｒ  ＡＲＱ、ＨＡＲＱなどの情報を通知するようにしてもよい。【００５３】
ＭＢＭＳコンテンツ受信部６０８は、無線伝送部６０４を介して、ＭＢＭＳコンテンツを受信する。【００５４】
次に、本実施例にかかる基地局５００について、図３を参照して説明する。【００５５】
本実施例にかかる基地局５００は、制御部５０２と、制御部５０２と接続された有線伝送部５０４、グループ分け手段としての移動局能力解析部５０８、コンテンツ伝送手段としてのＭＢＭＳコンテンツ伝送部５１０、無線伝送部５０６および基地局能力解析部５１２とを備える。【００５６】
移動局能力解析部５０８は、有線伝送部５０４およびＭＢＭＳコンテンツ伝送部５１０とデータの入出力が可能である。また、ＭＢＭＳコンテンツ伝送部５１０は、無線伝送部５０６とデータの入出力が可能である。【００５７】
制御部５０２は、自基地局５００が備える各機能エンティティに対して、適切な制御行なう。制御部５０２は、アクセスゲートウェイ４００から、自基地局のカバーするエリアに在圏し、マルチキャストグループに含まれる移動局の能力に関する情報、例えば移動局の受信可能な周波数帯域を示す情報が通知されたか否か判断する。【００５８】
無線伝送部５０６は、移動局６００との間の無線リンク上で、シグナリングメッセージの送信と、ＭＢＭＳコンテンツの受信を行う。【００５９】
移動局能力解析部５０８は、自基地局の配下の移動局のうちマルチキャストグループへの参加要求を行った移動局のグループ分けを行い、グループ毎に、該グループに属する移動局の能力、例えば、サポートできる周波数帯域を把握する。例えば、移動局能力解析部５０８は、移動局を示す識別情報に基づいて、移動局のグループ分けを行い、各グループに属する移動局がサポートできる周波数帯域を把握する。【００６０】
また、移動局能力解析部５０８は、有線伝送部５０４を介してアクセスゲートウェイ４００から通知された各移動局がサポートできる周波数バンドを示す情報に基づいて、移動局をグループ分けするようにしてもよい。【００６１】
また、移動局能力解析部５０８は、有線伝送部５０４を介してアクセスゲートウェイ４００から通知された各移動局がサポートできる周波数バンドと等価である最大伝送速度を示す情報に基づいて、移動局をグループ分けするようにしてもよい。【００６２】
移動局能力解析部５０８は、該マルチキャストグループに含まれる移動局のサポートできる移動局能力、例えばサポートできる周波数帯域を把握し、例えば最小となる移動局能力、例えば受信可能な周波数帯域の最小値を示す情報をＭＢＭＳコンテンツ伝送部５１０へ入力する。【００６３】
基地局能力解析部５１２は、自基地局５００の運用状況、例えば割当てられている周波数バンドを解析し、例えばサポートできる周波数帯域を示す情報をＭＢＭＳコンテンツ伝送部５１０に入力する。【００６４】
ＭＢＭＳコンテンツ伝送部５１０は、マルチキャストグループ内の移動局の最小能力と、基地局の運用状況とを比較しＭＢＭＳコンテンツの伝送能力を決定し、基地局上位から伝送されてきたＭＢＭＳコンテンツを該マルチキャストグループに配信する。例えば、ＭＢＭＳコンテンツ伝送部５１０は、マルチキャストグループに含まれる移動局の最小移動局能力、例えば受信可能な周波数帯域幅の最小値と、自基地局の伝送可能な周波数帯域幅とを比較し、ＭＢＭＳコンテンツの伝送周波数帯域幅を決定する。【００６５】
また、ＭＢＭＳコンテンツ伝送部５１０は、基地局の上位局、例えばアクセスゲートウェイ４００から伝送されてきたＭＢＭＳコンテンツを該マルチキャストグループに属する移動局に配信する。その結果、無線伝送部５０６を介して、移動局６００にＭＢＭＳコンテンツが送信される。【００６６】
次に、本実施例にかかるアクセスゲートウェイ４００について、図４を参照して説明する。【００６７】
本実施例にかかるアクセスゲートウェイ４００は、制御部４０２と、制御部４０２と接続された有線伝送部４０４、移動局能力通知部４０６、ＭＢＭＳコンテンツ伝送部４０８およびマルチキャストグループ管理部４１０とを備える。【００６８】
移動局能力通知部４０６は、有線伝送部４０４、マルチキャストグループ管理部４１０およびコンテンツ伝送手段としてのＭＢＭＳコンテンツ伝送部４０８とデータの入出力が可能である。また、ＭＢＭＳコンテンツ伝送部４０８は、有線伝送部４０４とデータの入出力が可能である。【００６９】
制御部４０２は、自アクセスゲートウェイ４００が備える各機能エンティティに対して、適切な制御を行なう。例えば、移動局６００から送信されたあるマルチキャストサービスへの"Ｊｏｉｎ"リクエスト（参加要求）に応じて、"Ｊｏｉｎ"リクエストメッセージに含まれるＵＥ  ｃａｐａｂｉｌｉｔｙ、例えばＭＢＭＳ  ｂｅａｒｅｒ  ｃａｐａｂｉｌｉｔｙを取得し、取得したＵＥ  ｃａｐａｂｉｌｉｔｙをマルチキャストグループ管理部４１０に転送する。例えば、制御部４０２は、参加要求を行った移動局の伝送可能な周波数帯域および該伝送可能な周波数帯域と等価である伝送速度のうち少なくとも一方を示す情報を取得し、マルチキャストグループ管理部４１０に転送する。【００７０】
有線伝送部４０４は、自アクセスゲートウェイ４００と基地局５００との間で、シグナリングメッセージ受信と、ＭＢＭＳコンテンツの送信を行う。【００７１】
移動局能力通知部４０６は、マルチキャストグループに含まれる移動局が有する移動局の能力、例えば移動局の受信可能な周波数帯域を示す情報を、基地局５００に対して、例えばシグナリングメッセージを用いて通知する。また、移動局能力通知部４０６は、移動局の受信可能な周波数帯域と等価である最大伝送速度を示す情報を通知するようにしてもよい。【００７２】
マルチキャストグループ管理部４１０は、移動局６００が送信する"Ｊｏｉｎ"メッセージにしたがって、移動局６００があるマルチキャストグループにＪｏｉｎする受付けを行う。また、マルチキャストグループ管理部４１０は、該マルチキャストグループに参加する移動局の管理を行う。例えば、マルチキャストグループ管理部４１０は、参加要求を行った移動局の伝送可能な周波数帯域および該伝送可能な周波数帯域と等価である伝送速度のうち少なくとも一方を示す情報を格納する。【００７３】
ＭＢＭＳコンテンツ伝送部４０８は、マルチキャストグループ管理部４１０において管理されているマルチキャストグループに含まれる移動局に対し、該ＭＢＭＳコンテンツを伝送する。【００７４】
次に、本実施例にかかる無線通信システムの動作について、図５〜図７を参照して説明する。【００７５】
ここでは、移動局６００、基地局５００およびアクセスゲートウェイ４００に分けて、その動作について説明する。【００７６】
移動局６００の動作フローについて、図５を参照して説明する。【００７７】
移動局６００は、事前にコンテンツプロバイダとの間で加入処理を行う。【００７８】
制御部６０２は、加入処理を行ったコンテンツプロバイダからコンテンツの配信がアナウンスメントされている否か判断する（ステップＳ５０２）。【００７９】
コンテンツの配信のアナウンスが行われていない場合（ステップＳ５０２：ＮＯ）、およびコンテンツの配信のアナウンスが行われている場合にユーザがそのコンテンツに興味があるか否かを判断した結果、該コンテンツの配信を要求しない場合には当該処理を終了する。【００８０】
一方、コンテンツの配信のアナウンスが行われている場合（ステップＳ５０２：ＹＥＳ）に、ユーザが興味あるコンテンツの配信を要求した場合、ＵＥ  ｃａｐａｂｉｌｉｔｙ通知部６０６は、基地局５００を介してアクセスゲートウェイ４００に対してシグナリングメッセージを用いてＵＥ  ｃａｐａｂｉｌｉｔｙ（移動局能力）、例えば、自移動局の伝送可能である周波数帯域幅を示す情報を通知する（ステップＳ５０４）。その結果、自移動局の伝送可能である周波数帯域を示す情報は、基地局５００を介して、アクセスサーバ４００に送信される。【００８１】
次に、基地局５００の動作フローについて、図６を参照して説明する。【００８２】
制御部５０２は、アクセスゲートウェイ４００から、自基地局のカバーするエリアに在圏し、マルチキャストグループに含まれる移動局の能力に関する情報、例えば移動局の受信可能な周波数帯域を示す情報が通知されたか否か判断する（ステップＳ６０２）。【００８３】
アクセスゲートウェイ４００から、移動局の能力に関する情報が通知されていない場合（ステップ６０２：ＮＯ）、当該処理を終了する。【００８４】
一方、アクセスゲートウェイ４００から、移動局の能力に関する情報が通知されている場合（ステップＳ６０２：ＹＥＳ）、移動局能力解析部５０８は、アクセスゲートウェイ４００から通知されたマルチキャストグループに含まれる移動局の能力のうち、最小となるＵＥ  ｃａｐａｂｉｌｉｔｙ求め、ＭＢＭＳコンテンツ伝送部５１０に入力する。また、基地局能力解析部５１２は、自基地局５００の運用状況、例えば基地局５００の伝送可能な周波数帯域を示す情報をＭＢＭＳコンテンツ伝送部５１０に入力する。【００８５】
ＭＢＭＢコンテンツ伝送部５１０は、入力された最小となるＵＥ  ｃａｐａｂｉｌｉｔｙと、自基地局５００の伝送可能な周波数帯域とを比較する（ステップＳ６０４）。【００８６】
最小ＵＥ  ｃａｐａｂｉｌｉｔｙが基地局の伝送可能な周波数帯域以上である場合（ステップＳ６０４：ＹＥＳ）、ＭＢＭＳコンテンツ伝送部５１０は、基地局５００の伝送可能な周波数帯域にあわせて、コンフィグレーションを行う（ステップＳ６０６）。【００８７】
一方、最小ＵＥ  ｃａｐａｂｉｌｉｔｙが基地局の伝送可能な周波数帯域以上でない場合（ステップＳ６０４：ＮＯ）、ＭＢＭＳコンテンツ伝送部５１０は、最小ＵＥ  ｃａｐａｂｉｌｉｔｙにあわせて、コンフィグレーションを行う（ステップＳ６０８）。【００８８】
次に、ＭＢＭＳコンテンツ伝送部５１０は、アクセスゲートウェイ４００から該ＭＢＭＳコンテンツのデータトランスファが開始、例えばセッションスタートプロシージャが起動されたか否か判断する（ステップＳ６１０）。【００８９】
データトランスファが開始されていない場合（ステップＳ６１０：ＮＯ）、ステップＳ６１０に戻る。【００９０】
一方、データトランスファが開始された場合（ステップＳ６１０：ＹＥＳ）、ＭＢＭＳコンテンツ伝送部５１０は、ステップＳ６０６あるいはステップ６０８で設定されたコンフィグレーションに応じて、スケジューリングを行い、データの伝送を行う（ステップＳ６１２）。【００９１】
アクセスゲートウェイ４００の動作について、図７を参照して説明する。【００９２】
アクセスゲートウェイ４００は、制御部４０２において、移動局６００からあるＭＢＭＳサービスへの"Ｊｏｉｎ"リクエストがあるか否か判断する（ステップＳ７０２）。【００９３】
移動局６００から"Ｊｏｉｎ"リクエストがないと判断した場合（ステップＳ７０２：ＮＯ）、当該処理を終了する。【００９４】
一方、移動局６００からあるＭＢＭＳサービスへの"Ｊｏｉｎ"リクエストがあると判断された場合（ステップＳ７０２：ＹＥＳ）、制御部４０２は、該"Ｊｏｉｎ"リクエストメッセージに含まれるＵＥ  ｃａｐａｂｉｌｉｔｙ、例えばＭＢＭＳ  ｂｅａｒｅｒ  ｃａｐａｂｉｌｉｔｙを取得する（ステップＳ７０４）。【００９５】
次に、制御部４０２は、ステップＳ７０４において取得したＵＥ  ｃａｐａｂｉｌｉｔｙをマルチキャストグループ管理部４１０に転送する。【００９６】
次に、移動局能力通知部４０６は、ステップＳ７０４において取得したＵＥ  ｃａｐａｂｉｌｉｔｙを、有線伝送部４０４を介して、基地局５００へ転送する（ステップＳ７０６）。【００９７】
次に、ＭＢＭＳコンテンツ伝送部４０８は、ＭＢＭＳ配信サーバ（ＢＭ−ＳＣ）３００からＭＢＭＳコンテンツが伝送されてきたか否か判断する（ステップＳ７０８）。【００９８】
ＭＢＭＳ配信サーバ３００からＭＢＭＳコンテンツが伝送されていない場合（ステップＳ７０８：ＮＯ）、ステップＳ７０８へ戻る。【００９９】
一方、ＭＢＭＳ配信サーバ３００からＭＢＭＳコンテンツが伝送されている場合（ステップＳ７０８：ＹＥＳ）、ＭＢＭＳ伝送部４０８は、マルチキャストグループ管理部４１０を参照し、ＭＢＭＳコンテンツを送信するマルチキャストグループに対して、該ＭＢＭＳコンテンツを転送する（ステップＳ７１０）。【０１００】
次に、本発明の他の実施例にかかる無線通信システムについて説明する。【０１０１】
本実施例にかかる無線通信システムの構成は、上述した実施例にかかる無線通信システムと同様であるが、基地局５００、移動局６００のコンフィグレーションが異なる。【０１０２】
図１を参照して説明する。【０１０３】
基地局Ａ５００１および基地局Ｂ５００２は、２０ＭＨｚ周波数帯域まで伝送可能である。【０１０４】
各移動局が受信可能な周波数帯域を、表２に示す。【０１０５】
【表２】
2007116703.tif 000004
移動局Ａ６００１は２０ＭＨｚの周波数帯域の伝送が可能であり、移動局Ｂ６００２は２０ＭＨｚの周波数帯域の伝送が可能であり、移動局Ｃ６００３は１０ＭＨｚの周波数帯域の伝送が可能であり、移動局Ｄ６００４は２０ＭＨｚの周波数帯域の伝送が可能であり、移動局Ｅ６００５は２０ＭＨｚの周波数帯域の伝送が可能であり、移動局Ｆ６００６は５ＭＨｚの周波数帯域の伝送が可能である。【０１０６】
基地局Ａ５００１および基地局Ｂ５００２の配下の移動局５００は、"Ｊｏｉｎ"リクエストを行う。基地局Ａ５００１および基地局Ｂ５００２は、"Ｊｏｉｎ"リクエストにしたがって、異なる応答を行う。【０１０７】
基地局Ａ５００１の配下の移動局Ａ６００１および移動局Ｂ６００２がセッションを開始（Ｓｅｓｓｉｏｎ  Ｓｔａｒｔ）した後に、移動局Ｃ６００３が該マルチキャストグループにＪｏｉｎする場合について説明する。この場合、移動局Ａ６００１および移動局Ｂ６００２は、Ｊｏｉｎ済である。【０１０８】
サービスアナウンスメントで、契約済みのマルチキャストサービスの伝送を認識した移動局Ｃ６００３は、アクセスゲートウェイ４００に対して、該マルチキャストグループへの"Ｊｏｉｎ"リクエストを送信する。【０１０９】
アクセスゲートウェイ４００は、移動局Ｃ６００３の"Ｊｏｉｎ"リクエストに含まれるＵＥ  ｃａｐａｂｉｌｉｔｙを取得し、該マルチキャストグループへの"Ｊｏｉｎ"を受付ける。【０１１０】
ここで、アクセスゲートウェイ４００が、基地局Ａ５００１に対して、移動局Ｃ６００３のＵＥ  ｃａｐａｂｉｌｉｔｙを通知するようにしてもよい。ただし、基地局Ａ５００１は、データ伝送開始中には、"Ｊｏｉｎ"を認めず、データ伝送終了後に、移動局Ｃ６００３の能力にあわせて、コンフィグレーションの変更を行い、該変更に伴って、ＭＢＭＳの無線アクセスベアラ、すなわち無線パラメータを再設定する。基地局Ａ５００１は、ＭＢＭＳの無線アクセスベアラの再設定後、次回データ伝送から移動局Ａ６００１、移動局Ｂ６００２および移動局Ｃ６００３へ送信するＭＢＭＳコンテンツのスケジュールを行う。【０１１１】
次に、基地局Ｂ５００２の配下の移動局Ｄ６００４および移動局Ｅ６００５がセッションを開始（Ｓｅｓｓｉｏｎ  Ｓｔａｒｔ）した後に、移動局Ｆ６００６が該マルチキャストグループにＪｏｉｎする場合について説明する。この場合、移動局Ｄ６００４および移動局Ｅ６００５は、Ｊｏｉｎ済である。【０１１２】
サービスアナウンスメントで、契約済みのマルチキャストサービスの伝送を認識した移動局Ｆ６００６は、アクセスゲートウェイ４００に対して、該マルチキャストグループへの"Ｊｏｉｎ"リクエストを送信する。【０１１３】
アクセスゲートウェイ４００は、移動局Ｆ６００６の"Ｊｏｉｎ"リクエストに対して、拒否（リジェクト）する応答を行う。ただし、アクセスゲートウェイ４００は、セッション終了後、次回のセッションスタート時である場合には、該"Ｊｏｉｎ"リクエストに対して受付を行うようにしてもよい。この場合、基地局Ｂ５００２は、マルチキャストグループを移動局Ｆ６００６にあわせて構成し、ＭＢＭＳの無線アクセスベアラ、すなわち無線パラメータを設定する。【０１１４】
本実施例にかかる移動局、基地局およびアクセスゲートウェイの構成は、図２、図３および図４を参照して説明した移動局、基地局およびアクセスゲートウェイの構成と同様であるため、その説明を省略する。【０１１５】
次に、本実施例にかかる無線通信システムの動作について、図８および図９を参照して説明する。【０１１６】
ここでは、基地局５００およびアクセスゲートウェイ４００に分けて、その動作について説明する。移動局５００の動作については、上述した実施例にかかる移動局の動作と同様である。【０１１７】
基地局５００の動作フローについて、図８を参照して説明する。【０１１８】
基地局５００の制御部５０２は、アクセスゲートウェイ４００からＭＢＭＳ  ｂｅａｒｅｒのコンフィグレーション／リコンフィグレーションを受信したか否か判断する（ステップＳ８０２）。【０１１９】
アクセスゲートウェイ４００からＭＢＭＳ  ｂｅａｒｅｒのコンフィグレーション／リコンフィグレーションを受信していない場合（ステップＳ８０２：ＮＯ）、当該処理を終了する。【０１２０】
一方、アクセスゲートウェイ４００からＭＢＭＳ  ｂｅａｒｅｒのコンフィグレーション／リコンフィグレーションを受信した場合（ステップＳ８０２：ＹＥＳ）、ＭＢＭＳコンテンツ伝送部５１０は、指定されたコンフィグレーションに設定し、データトランスファされてきたＭＢＭＳコンテンツを伝送する（ステップ８０４）。例えば、ＭＢＭＳコンテンツ伝送部５１０は、基地局能力解析部５１２により入力された最小となるＵＥ  ｃａｐａｂｉｌｉｔｙと、自基地局５００の伝送可能な周波数帯域とを比較し、比較結果に応じて、コンフィグレーションする。【０１２１】
アクセスゲートウェイ４００の動作について、図９を参照して説明する。【０１２２】
アクセスゲートウェイ４００は、制御部４０２において移動局６００からマルチキャストグループへの"Ｊｏｉｎ"リクエストがあるか否か判断する（ステップ９０２）。【０１２３】
移動局６００から該マルチキャストグループへ"Ｊｏｉｎ"リクエストがないと判断された場合（ステップＳ９０２：ＮＯ）、当該処理を終了する。【０１２４】
一方、移動局６００からマルチキャストグループへの"Ｊｏｉｎ"リクエストがあると判断された場合（ステップＳ９０２：ＹＥＳ）、制御部４０２は、マルチキャストグループ管理部４１０へ該"Ｊｏｉｎ"リクエストを転送する（ステップＳ９０４）。【０１２５】
マルチキャスト管理部４１０は、入力された"Ｊｏｉｎ"リクエストに格納された該移動局のＵＥ  ｃａｐａｂｉｌｉｔｙを参照し、ＵＥ  ｃａｐａｂｉｌｉｔｙが、マルチキャストグループに含まれるどの移動局のＵＥ  ｃａｐａｂｉｌｉｔｙ未満であるか否かを判断する（ステップＳ９０６）。【０１２６】
ＵＥ  ｃａｐａｂｉｌｉｔｙが、マルチキャストグループに含まれるどの移動局のＵＥ  ｃａｐａｂｉｌｉｔｙ未満でないと判断された場合（ステップＳ９０６：ＮＯ）、マルチキャスト管理部４１０は、マルチキャストグループへの"Ｊｏｉｎ"を許可する（ステップＳ９０８）。ＭＢＭＳコンテンツ伝送部４０８は、該ＵＥに個別にＭＢＭＳ  ｂｅａｒｅｒの設定を行う（ステップＳ９０８）。【０１２７】
次に、ＭＢＭＳコンテンツ伝送部４０８は、ＭＢＭＳ  ｂｅａｒｅｒの設定が完了したか否か判断する（ステップＳ９１０）
ＭＢＭＳ  ｂｅａｒｅｒの設定が完了した場合（ステップＳ９１０：ＹＥＳ）、ＭＢＭＳコンテンツ伝送部４０８は、ＭＢＭＳコンテンツの伝送を開始する（ステップＳ９１２）。【０１２８】
一方、ＭＢＭＳ  ｂｅａｒｅｒの設定が完了していない場合（ステップＳ９１０：ＮＯ）、ステップＳ９１０に戻る。【０１２９】
ステップＳ９０６における判断の結果、該ＵＥのＵＥ  ｃａｐａｂｉｌｉｔｙが、マルチキャストグループに含まれるどの移動局のＵＥ  ｃａｐａｂｉｌｉｔｙ未満であると判断された場合（ステップＳ９０６；ＹＥＳ）、制御部４０２は、セッション中でデータトランスファを行っているか否か判断する（ステップＳ９１４）。【０１３０】
セッションスタート後でデータトランスファを行っている場合（ステップＳ９１４：ＹＥＳ）、ステップＳ９１４に戻る。【０１３１】
一方、セッション中で無い場合（ステップＳ９１４：ＮＯ）、該ＵＥがマルチキャストグループに"Ｊｏｉｎ"したことによりコンフィグレーションが変更されるため、ＭＢＭＳコンテンツ伝送部４０８はマルチキャストグループのＭＢＭＳ  ｂｅａｒｅｒを再設定する（ステップＳ９１６）。【０１３２】
上述した実施例では、１基地局が１セルを持つ場合について説明したが、一般的な、無線通信システムでは、１基地局が複数セルを持つ。その場合には、上記に説明した事柄は、基地局をセルと読み替えることにより、１基地局が複数のセルを備える場合にも適用できる。【０１３３】
本発明の実施例によれば、基地局は、移動局の受信可能な周波数帯域、基地局が伝送可能な周波数帯域を把握し、ＭＢＭＳデータを受信する複数の移動局が共通に受信可能な周波数帯域にＭＢＭＳデータをスケジュールする。このようにすることにより、周波数帯域がフレキシブルに設定可能なシステムにおいて、ＭＢＭＳデータを効率的に伝送できる。【０１３４】
また、本発明の実施例によれば、ＳＡＥ／ＬＴＥシステムにおいて、ＭＢＭＳデータを受信するグループ内の、能力の異なる移動局に対して、公平にＭＢＭＳデータを伝送することができる。【０１３５】
本国際出願は、２００６年３月２８日に出願した日本国特許出願２００６−０８９４２３号に基づく優先権を主張するものであり、２００６−０８９４２３号の全内容を本国際出願に援用する。
【産業上の利用可能性】
【０１３６】
本発明にかかるセントラルノード、基地局および移動局並びにデータ伝送方法は、無線通信システムに適用できる。
【図１】
2007116703.tif 000005
【図２】
2007116703.tif 000006
【図３】
2007116703.tif 000007
【図４】
2007116703.tif 000008
【図５】
2007116703.tif 000009
【図６】
2007116703.tif 000010
【図７】
2007116703.tif 000011
【図８】
2007116703.tif 000012
【図９】
2007116703.tif 000013
【国際調査報告】
2007116703.tif 000014
2007116703.tif 000015
2007116703.tif 000016
2007116703.tif 000017
2007116703.tif 000018
2007116703.tif 000019
2007116703.tif 000020